(57)【要約】  ドアハンドル組立体。本組立体は、窪んだベース部と一体形の支持ブラケットとを備えるベゼルを含む。ラッチハンドルがベゼルの内側にある第１のチャンバー内に動作可能に配置され、弾性的に圧縮可能な本体を含むロックノブが第２のチャンバー内に配置される。ロックノブは一対の対向するボス間に支持される。ラッチハンドルはボスと対向する壁孔との間に支持される。支持するボス及び壁孔は、共通軸回りに回転可能な関係で支持されるラッチハンドル及びロックノブと同心状に配向される。
2013536341.tif 000002
【特許請求の範囲】
【請求項１】
ドアハンドル組立体において、
ベゼルであって、該ベゼルは、該ベゼルの長さに完全ではなく部分的に沿って延在する窪んだベース部と、第１の側方の側壁及び第２の側方の側壁と、前記ベース部の前縁から前方に離間した関係で位置する端壁と、前記ベース部と前記端壁との間の空間内に第１のチャンバーと第２のチャンバーとの間の境界を画定するように前記ベース部と前記端壁との間に延びる一体形の支持ブラケットとを備え、該支持ブラケットは、該支持ブラケットの一方の面から突出する第１の取付けボスを備え、前記第１の側方の側壁は内部にボス受け壁孔を含み、前記第２の側方の側壁は、前記第１の取付けボスに対して対向して位置合わせされた関係で突出する第２の取付けボスを備え、そのため、前記第１の取付けボス、前記第２の取付けボス及び前記壁孔が共通軸に沿って実質的に同心状に位置合わせされるベゼルと、
前記第１のチャンバー内に位置する耳部と、該耳部から離間した関係で位置するボス受けフランジ部とを備えるラッチハンドルであって、前記耳部は、側方に突出するハンドルボスを備え、前記支持ブラケットの一部分は、前記第１の取付けボスの遠位部分が前記ボス受けフランジ部から前記第２の取付けボスに向かって外方に突出するように、前記ハンドルボスが前記ボス受け壁孔に延びるとともに前記第１の取付けボスが前記ボス受けフランジ部内に突出する状態で、前記耳部と前記ボス受けフランジ部との間に入れ子関係で配置される、ラッチハンドルと、
前記第２のチャンバー内に配置される弾性的に圧縮可能な本体を含むロックノブであって、該ロックノブは、第１の側面及び第２の側面を含み、該第１の側面及び第２の側面はそれぞれ、位置合わせされた孔を含み、それによって、前記本体が前記第２のチャンバーに圧入挿入されると前記第１の取付けボスの前記遠位部分が前記第１の側面の孔に突出するとともに前記第２の取付けボスが前記第２の側面の孔に突出し、そのため、該ロックノブが前記ラッチハンドルとともに前記共通軸回りに回転可能な関係で支持される、ロックノブとを含むドアハンドル組立体。
【請求項２】
前記ベゼルはモノリシックな成形ポリマー構造を有する請求項１に記載のドアハンドル組立体。
【請求項３】
前記ラッチハンドルはモノリシックな成形ポリマー構造を有する請求項１に記載のドアハンドル組立体。
【請求項４】
前記ロックノブはモノリシックな成形ポリマー構造を有する請求項１に記載のドアハンドル組立体。
【請求項５】
前記ベゼル、前記ラッチハンドル及び前記ロックノブのそれぞれはモノリシックな成形ポリマー構造を有する請求項１に記載のドアハンドル組立体。
【請求項６】
前記ドアハンドル組立体は、前記ベース部にわたる並置スナップ嵌め関係で配置される内側カバーを更に含み、該内側カバーは、前記第１の側方の側壁の内側部分及び前記第２の側方の側壁の内側部分と組み合わさると、前記ドアハンドル組立体の可視の装飾面を協働して画定する請求項１に記載のドアハンドル組立体。
【請求項７】
前記ロックノブの本体は、前記第１の側面と前記第２の側面との間に間隙を有する分割構造を有する請求項１に記載のドアハンドル組立体。
【請求項８】
一体形の側面開口クレードルフランジ部が、前記支持ブラケットから第１のチャンバーに延びており、付勢ばねの一方の脚部が、前記側面開口クレードルフランジ部において支持され、前記付勢ばねの対向する脚部が、前記第１のチャンバー内でラッチハンドルの一表面と動作可能に係合し、そのため、前記ラッチハンドルの回転により前記付勢ばねの圧縮が生じる請求項１に記載のドアハンドル組立体。
【請求項９】
一体形のバンパーブラケットが前記端壁から前記第１のチャンバーに突出し、台形の形態の弾性バンパーが該バンパーブラケット内に取り付けられている請求項１に記載のドアハンドル組立体。
【請求項１０】
前記バンパーブラケットはコの字型のブラケットであり、前記バンパーは、一方の面から対向する面に向かって延在する一対の対向する側方ガイドスロットを含み、前記ブラケットの前記端子脚部は、前記バンパーが前記ブラケット内でクランプされるように前記ガイドスロット内に配置される請求項９に記載のドアハンドル組立体。
【請求項１１】
ドアハンドル組立体であって、
モノリシックな成形ポリマー構造のベゼルであって、該ベゼルは、該ベゼルの長さに完全ではなく部分的に沿って延在する窪んだベース部を備え、第１の側方の側壁及び第２の側方の側壁が前記ベース部の対向する両側から上方に延び、該ベゼルは、前記側方の側壁を横断する一体形の端壁を更に備え、該端壁は、前記ベース部の前縁から前方に離間した関係で位置し、該ベゼルは、前記ベース部と前記端壁との間に長手方向に延びる成形された一体形の支持ブラケットを更に備え、該支持ブラケットは、前記ベース部と前記端壁との間の空間内に第１のチャンバーと第２のチャンバーとの間の境界を画定し、支持ブラケット取付けフランジ部であって、該支持ブラケット取付けフランジ部の一方の側から前記第２のチャンバーを部分的に横切って突出する第１の取付けボスを有する、前記ベース部が画定している平面から上方に突出する支持ブラケット取付けフランジ部を備え、前記第１の側方の側壁は、前記第１のチャンバーに開口しているボス受け壁孔を内側に含み、前記第２の側方の側壁は、前記第１の取付けボスに対して対向して位置合わせされた関係で前記第２のチャンバーを部分的に横切って突出する前記第２の取付けボスを備え、そのため、前記第１の取付けボス、前記第２の取付けボス及び前記壁孔が、前記第１の側方の側壁と前記第２の側方の側壁との間に延びる共通軸に沿って実質的に同心状に位置合わせされるベゼルと、
前記第１のチャンバー内に配置される下方に延びる外郭耳部と、該外郭耳部との間にハンドル空所を画定するように前記外郭耳部から実質的に平行に離間した関係で位置する下方に延びるボス受けフランジ部とを備えるアンカー端を有するラッチハンドルであって、前記外郭耳部は、側方に突出するハンドルボスを備え、前記支持ブラケット取付けフランジ部は、前記第１の取付けボスの遠位部分が前記ボス受けフランジ部から前記第２の取付けボスに向かって外方に突出するように、前記ハンドルボスが前記ボス受け壁孔に延びるとともに前記第１の取付けボスが前記ボス受けフランジ部内に突出する状態で、前記ハンドル空所内に入れ子関係で配置される、ラッチハンドルと、
前記第２のチャンバー内に配置される分割構造の本体を含むロックノブであって、該ロックノブは、間に空隙を有する第１の側面及び第２の側面を含み、そのため、該第１の側面及び該第２の側面は互いに向かって弾性的に圧縮可能であり、前記第１の側面及び第２の側面はそれぞれ、位置合わせされた孔を含み、そのため、前記本体が前記第２のチャンバーに圧入挿入されると前記第１の取付けボスの前記遠位部分が前記第１の側面の孔に突出するとともに前記第２の取付けボスが前記第２の取付けボスの孔に突出し、そのため、該ロックノブが前記ラッチハンドルとともに前記共通軸回りに回転可能な関係で支持される、ロックノブとを含むドアハンドル組立体。
【請求項１２】
前記ベゼル、前記ラッチハンドル及び前記ロックノブのそれぞれはモノリシックな成形ポリマー構造を有する請求項１１に記載のドアハンドル組立体。
【請求項１３】
前記ドアハンドル組立体は、前記ベース部にわたる並置スナップ嵌め関係で配置される内側カバーを更に含み、該内側カバーは、前記第１の側方の側壁の内側部分及び前記第２の側方の側壁の内側部分と組み合わさると、前記ドアハンドル組立体の可視の装飾面を協働して画定する請求項１１に記載のドアハンドル組立体。
【請求項１４】
一体形の側面開口クレードルフランジ部が、前記支持ブラケットから第１のチャンバーに延びており、付勢ばねの一方の脚部が、前記側面開口クレードルフランジ部において支持され、前記付勢ばねの対向する脚部が、前記第１のチャンバー内でラッチハンドルの一表面と動作可能に係合し、そのため、前記ラッチハンドルの回転により前記付勢ばねの圧縮が生じる請求項１１に記載のドアハンドル組立体。
【請求項１５】
一体形のバンパーブラケットが前記端壁から前記第１のチャンバーに突出し、台形の形態の弾性バンパーが該バンパーブラケット内に取り付けられている請求項１１に記載のドアハンドル組立体。
【請求項１６】
前記バンパーブラケットはコの字型のブラケットであり、前記バンパーは、一方の面から対向する面に向かって延在する一対の対向する側方ガイドスロットを含み、前記ブラケットの前記端子脚部は、前記バンパーが前記ブラケット内でクランプされるように前記ガイドスロット内に配置される請求項１５に記載のドアハンドル組立体。
【請求項１７】
車両ドアハンドル組立体を組み立てる方法であって、
ベゼルを準備するステップであって、該ベゼルは、該ベゼルの長さに完全ではなく部分的に沿って延在する窪んだベース部と、第１の側方の側壁及び第２の側方の側壁と、前記ベース部の前縁から前方に離間した関係で位置する端壁と、前記ベース部と前記端壁との間の空間内に第１のチャンバーと第２のチャンバーとの間の境界を画定するように前記ベース部と前記端壁との間に延びる一体形の支持ブラケットとを備え、該支持ブラケットは、該支持ブラケットの一方の面から突出する第１の取付けボスを備え、前記第１の側方の側壁は内部にボス受け壁孔を含み、前記第２の側方の側壁は、前記第１の取付けボスに対して対向して位置合わせされた関係で突出する第２の取付けボスを備え、そのため、前記第１の取付けボス、前記第２の取付けボス及び前記壁孔が共通軸に沿って実質的に同心状に位置合わせされるベゼルを準備するステップと、
側方に突出するハンドルボスを備える耳部と、該耳部から離間した関係で位置するボス受けフランジ部とを備えるラッチハンドルを準備するとともに、前記第１の取付けボスの遠位部分が前記ボス受けフランジ部から前記第２の取付けボスに向かって外方に突出するように、前記ハンドルボスが前記ボス受け壁孔に延びるとともに前記第１の取付けボスが前記ボス受けフランジ部内に突出する状態で、前記支持ブラケットが前記耳部と前記ボス受けフランジ部との間に入れ子関係で配置される状態で前記ラッチハンドルを配置する、準備するとともに配置するステップと、
弾性的に圧縮可能な本体を含むロックノブであって、該ロックノブは、第１の側面及び第２の側面を含み、該第１の側面及び第２の側面はそれぞれ位置合わせされた孔を含む、ロックノブを準備するとともに、前記本体を前記支持ブラケットと前記第２の側方の側壁の間に圧入挿入し、それによって前記第１の取付けボスの前記遠位部分が前記第１の側面の孔に突出するとともに前記第２の取付けボスが前記第２の側面の孔に突出し、そのため前記ロックノブが前記ラッチハンドルとともに前記共通軸回りに回転可能な関係で支持される、準備するとともに圧入挿入するステップとを含む、車両ドアハンドル組立体を組み立てる方法。
【請求項１８】
前記支持ブラケットから第１のチャンバーに延びる一体形の側面開口クレードルフランジ部を設ける更なるステップと、付勢ばねを２つのずれた脚部が下方に向いている状態で前記第１のチャンバーに挿入する更なるステップであって、それによって、前記付勢ばねの一方の脚部が、前記側面開口クレードルフランジ部に支持されるとともに、前記付勢ばねの対向する脚部が、前記第１のチャンバー内でラッチハンドルの一表面と動作可能に係合し、それによって、前記ラッチハンドルの回転により前記付勢ばねの圧縮が生じる、挿入する更なるステップとを含む請求項１７に記載の方法。
【請求項１９】
前記端壁から前記第１のチャンバーに突出する一体形のバンパーブラケットを設ける更なるステップと、前記バンパーブラケット内に台形形態の弾性バンパーを取り付ける更なるステップとを含む請求項１８に記載の方法。
【請求項２０】
前記ラッチハンドル、前記ロックノブ、前記付勢ばね及び前記弾性バンパーのそれぞれは、全て線形的な動きによって前記ベゼル内に取り付けられる請求項１９に記載の方法。
【発明の詳細な説明】
【技術分野】
【０００１】
本発明は包括的には、自動車ドアハンドル組立体に関し、より詳細には、本発明は、同軸関係で取り付けられるドアラッチ解放ハンドル及びロックノブを組み入れているコンパクトなドアハンドル組立体に関する。
【０００２】
［関連出願の相互参照］
本願は、２０１０年８月２３日に出願された米国仮特許出願第６１／３７５，９２２号の利益及び優先権を主張する。そのような米国仮特許出願の内容及び本非仮特許出願において引用される全ての特許文献は、あたかも完全に本明細書に記載されているかのように、引用することによりその全体が本明細書の一部をなすものとする。
【背景技術】
【０００３】
車両ドアハンドル組立体は、ハンドルの操作によって作動してドアを解放するドアラッチ機構にケーブルによって接続されるドアラッチ解放ハンドルを含むことが知られている。車両ドアもまた、ドアを閉状態に固定するロック機構を含むことが知られている。手動式ロック機構は通常、ロック機構と係脱する作動ノブ又は作動ボタンを含む。
【０００４】
手動式ドアハンドル機構は多様な異なる構成をとっている。ラッチハンドル及びロックノブが双方ともドアパネルに嵌め込まれ、多くの場合、単一のハウジング内に収納されるか又はドアの一部分に互いに隣接して位置付けられる設計を用いることが知られている。ラッチハンドル及びロックノブのそれぞれからのケーブルが、ドアの解放のための機構並びにドアのロック及びロック解除のためのそれぞれの機構にハンドル及びノブを相互接続する。ラッチハンドルを動かすことによりラッチ機構を作動させてドアをラッチ解除する。ラッチハンドルは解放されると非作動位置に戻る。ロック機構は、ロック位置及びロック解除位置間でトグルスイッチを切り替えるロックノブによって動作することが知られている。
【０００５】
ラッチハンドル及びロックノブに通すピン（単数又は複数）を用いてハンドル及びノブをハウジング内に固定することが知られている。ハンドル及びノブはそれぞれ、機構の動作時及び使用時にピンの回りに回動することができる。ピン（単数又は複数）はハウジング及びハンドルの孔を通して挿入され、それらの内部に固定されねばならない。ピンの端に圧縮キャップ等の締結具又はリテーナーを用いることにより、ピンが所定位置に効果的に保持されるが、機構の組立てが複雑になるとともに時間がかかるものとなる。
【０００６】
特許文献１が、ハンドル及びロックノブが同軸回転の関係で不可視のベース部に支持される組立体を提供している。別個の装飾面（show surface）ベゼルがスタイル上の目的から取着されて組立てを完成する。そのような構成は高機能である一方で、組立てプロセスに比較的高レベルの技術を必要する場合があり、別個の装飾面ベゼルの必要性に起因してかなり多くの数の部品を必要とする。
【先行技術文献】
【特許文献】
【０００７】
【特許文献１】米国特許第６，９８８，７５６号
【発明の概要】
【発明が解決しようとする課題】
【０００８】
本発明は、運搬車両のハンドル組立体を提供することによって従来技術に勝る利点及び代替形態を提供する。この設計により、機能を犠牲にせずに部品点数を減らすことが可能となり、それにより部品においてだけでなく組立て及び工具においてもコスト節約となる。本発明は、ハンドル及びロックノブについて共通軸を用いる。そのような同心性により、ロックノブ及びノブの密着回転（cohesive rotation）が可能となる。また、本発明は、組立てに限定されない標準規格の円形ボスを用いることで単純自動化を提供することができる。加えて、本発明により、ここでは組立て時に損傷のリスクを伴わずにベース部を装飾面ベゼルに組み合わせることができるため、第２のベース部品を排除することが可能となる。
【０００９】
本発明の一態様では、本発明は、ドアハンドル組立体を提供する。本組立体は、ベゼルであって、このベゼルの長さに完全ではなく部分的に沿って延在する窪んだベース部と、ベース部から上方に延びる第１の側方の側壁及び第２の側方の側壁と、ベース部の前縁から前方に離間した関係で位置する端壁と、ベース部と端壁との間の空間内に第１のチャンバーと第２のチャンバーとの間の境界を画定するようにベース部と端壁との間に延びる一体形の支持ブラケットとを備える、ベゼルを含む。支持ブラケットは、支持ブラケットの一方の面から突出する第１の取付けボスを備える。第１の側方の側壁は内部にボス受け壁孔を含む。第２の側方の側壁は、第１の取付けボスに対して対向して位置合わせされた関係で突出する第２の取付けボスを備え、そのため、第１の取付けボス、第２の取付けボス及び壁孔が共通軸に沿って実質的に同心状に位置合わせされる。本組立体は、第１のチャンバー内に位置する耳部と、耳部から離間した関係で位置するボス受けフランジ部とを備えるラッチハンドルを更に含む。耳部は、側方に突出するハンドルボスを備える。支持ブラケットの一部分は、第１の取付けボスの遠位部分がボス受けフランジ部から第２の取付けボスに向かって外方に突出するように、ハンドルボスがボス受け壁孔に延びるとともに第１の取付けボスがボス受けフランジ部内に突出する状態で、耳部とボス受けフランジ部との間に入れ子関係で配置される。本組立体は、第２のチャンバー内に配置される弾性的に圧縮可能な本体を含むロックノブを更に含む。ロックノブは、第１の側面及び第２の側面を有する。第１の側面及び第２の側面はそれぞれ、孔を含み、それによって、本体が第２のチャンバーに圧入挿入されると第１の取付けボスの遠位部分が第１の側面の孔に突出するとともに第２の取付けボスが第２の側面の孔に突出し、ロックノブがラッチハンドルとともに共通軸回りに回転可能な関係で支持される。
【００１０】
本発明の別の態様では、本発明は、車両ドアハンドル組立体を組み立てる方法を提供する。本方法は、ベゼルを準備することであって、ベゼルは、ベゼルの長さに完全ではなく部分的に沿って延在する窪んだベース部と、第１の側方の側壁及び第２の側方の側壁と、ベース部の前縁から前方に離間した関係で位置する端壁と、ベース部と端壁との間の空間内に第１のチャンバーと第２のチャンバーとの間の境界を画定するようにベース部と端壁との間に延びる一体形の支持ブラケットとを備える、ベゼルを準備することを含む。支持ブラケットは、支持ブラケットの一方の面から突出する第１の取付けボスを備える。第１の側方の側壁は内部にボス受け壁孔を含む。第２の側方の側壁は、第１の取付けボスに対して対向して位置合わせされた関係で突出する第２の取付けボスを備え、そのため、第１の取付けボス、第２の取付けボス及び壁孔が共通軸に沿って実質的に同心状に位置合わせされる。本方法は、耳部と、この耳部から離間した関係で位置するボス受けフランジ部とを備えるラッチハンドルを準備することを更に含む。耳部は、側方に突出するハンドルボスを備える。ラッチハンドルは、第１の取付けボスの遠位部分がボス受けフランジ部から第２の取付けボスに向かって外方に突出するように、ハンドルボスがボス受け壁孔に延びるとともに第１の取付けボスがボス受けフランジ部内に突出する状態で、支持ブラケットが耳部とボス受けフランジ部との間に入れ子関係で配置される状態で配置される。本方法は、第１の側面及び第２の側面を有する弾性的に圧縮可能な本体を含むロックノブを準備することを含む。第１の側面及び第２の側面はそれぞれ、位置合わせされた孔を含む。本体は、支持ブラケットと第２の側方の側壁の間に圧入挿入され、そのため第１の取付けボスの遠位部分が第１の側面の孔に突出するとともに第２の取付けボスが第２の側面の孔に突出し、ロックノブがラッチハンドルとともに共通軸回りに回転可能な関係で支持される。
【００１１】
本発明の他の特徴及び利点は、以下の詳細な説明、特許請求の範囲、及び図面を検討すれば、当業者には明らかとなるであろう。
【図面の簡単な説明】
【００１２】
【図１】本発明による例示的なドアハンドル組立体の立面斜視図である。
【図２】例示的なドアハンドル組立体の概略分解図である。
【図３】図１の例示的なドアハンドル組立体の空のベゼル部分の上面図である。
【図４】図３に示されている空のベゼル部分の底面図である。
【図５】例示的なドアハンドル組立体の組立て時のベゼル内でのラッチハンドルの配置を示す部分組立図である。
【図６】例示的なラッチハンドルの着座構造を示す、図２の線６−６に概ね沿ったラッチハンドルの端面図である。
【図７】ラッチハンドル、付勢ばね及びバンパーを第１のチャンバーに導入した後のベゼル部分の部分組立底面図である。
【図８】ベゼル内の第２のチャンバーに圧入挿入するようになっている例示的なロックノブの対向する一方の側の斜視側面図である。
【図９】ベゼル内の第２のチャンバーに圧入挿入するようになっている例示的なロックノブの対向する他方の側の斜視側面図である。
【図１０】ロックノブの配向を示す部分組立図である。
【図１１】ロックノブを第２のチャンバーに導入した後のベゼル部分の底面図である。
【図１２】ベゼル内でのラッチハンドル及びロックノブの同軸取付けによる配置を示す、図１の線１２−１２に概ね沿った概略図である。
【発明を実施するための形態】
【００１３】
本発明の実施形態を詳細に説明する前に、本発明は、以下の説明に記載されているか又は図面に示されている部品の構成及び配置の詳細にその適用が限定されないことを理解されたい。本発明は他の実施形態が可能であり、様々な方法で実施又は実行することが可能である。また、本明細書において使用される表現及び用語は説明目的のためのものであり、限定とみなされるべきではないことが理解される。本明細書における、「含む」、「備える」及びその変形形の使用は、その後に挙げる部材（items）及びその等価物、並びに追加の部材及びその等価物を包含することを意味する。
【００１４】
ここで図面の参照を行うが、図面中、種々の図において同様の部材を示すために可能な限り同様の参照符号が用いられている。図１を参照すると、例示的なドアハンドル組立体１０が示されている。図示の例示的な構成では、ドアハンドル組立体１０は、車両のドアパネル、ドアアームレスト等において設置及び取着するようになっているベゼル１２を含む。ラッチハンドル１４及びロックノブ１６が、ベゼル１２内に動作可能に取り付けられている。
【００１５】
ベゼル１２、ラッチハンドル１４及びロックノブ１６はそれぞれ、射出成形等のような（正：such as）技法を用いて、適したプラスチック材料から一体構造体として成形することができる。図示のように、ベゼルは、起立した側方の側壁１８及び前端壁１９が窪んだ外形のベース部２０（図２）の周囲に位置する構成を有する凹状構造を有する。あり得る好ましい実施によれば、側壁の内側面は、更なる処理を必要としない最終的なドアハンドル組立体の装飾面を画定している。図示の構成では、ベース部２０は、ドアハンドル組立体１０を基礎となる支持構造体に接続するねじ等のような接続部材を受ける１つ又は複数の任意選択的な内側取付け孔２２（図３）を内側に含むことができる。これに関して、取付けねじ又は他の接続部材を受ける外側取付けフランジ部２４も設けることができる。理解されるように、取付けフランジ部２４の数及び構成は、周囲の支持面に対する接続を容易にするように設定することができる。
【００１６】
図示のように、１つ又は複数の内側取付け孔２２がベース部２０内に存在している場合では、ベース部２０の表面にわたる並置関係でスナップ嵌め接続する内側カバー２６を設けることができる。一例示的な実施によれば、内側カバー２６は、一方の端部に概ね「Ｌ字」形状の構造（図示せず）の下方に突出する複数のフット部を備え、反対の端部に、下方に突出するスナップタブ３０とを備えることができる。これに関して、図示の構成では、スナップタブ３０を対応するタブ開口３４に圧入しながらフット部を対応する位置合わせされた受入れスロット３２に圧入することができる。スナップタブ３０の面取り面及びフット部の遠位部分が概ね反対の方向に突出する。所望であれば、内側カバー２６はまた、ベース部２０の対応する溝４０と係合して適正な配置を容易にするとともに最終設置時に内側カバーに支持を与えるように側縁に沿って１つ又は複数の位置合わせタブを含むことができる。理解されるように、内側カバー２６が設置されると、スナップタブ３０とフット部２８の遠位部分とが内側カバー２６の下で掛止関係に保たれる。当然のことながら、所望であれば内側カバー２６を排除することができることも同様に意図される。
【００１７】
図示の例示的な構成では、ベゼル１２はベース部２０の前方の位置において概ね開口した底部を有する。開口した底部は、ベース部２０の前縁と端壁１９の間に概ね延びる隆起した支持ブラケット４４によって分割されている。図３及び図４に最もよく見られるように、支持ブラケット４４は、ラッチハンドル１４の一部分を受ける第１のチャンバー４６と、ロックノブ１６を受ける第２のチャンバー４８とに底部を分割する。図示のように、例示的な構成では、支持ブラケット４４は、フランジ部５２が上方に延びている長手方向支持リブ５０を含む。図示の構成では、フランジ部５２は、フランジ部５２から突出するとともに第２のチャンバー４８を部分的に横切る概ね円形の形態の第１のボス５４を含む。図示のように、第１のボス５４は、対向する側壁から突出する概ね円形の形態の第２のボス５６に対して、離間した、同心状に位置合わせされた関係で配置されている。第１のボス５４及び第２のボス５６はまた、第１のチャンバー４６の境をなす側壁にある概ね円形の形態の壁孔５８と実質的に同心状に位置合わせされている。第１のボス５４、第２のボス５６及び壁孔５８を用いて、以下で更に説明するやり方で回転可能な同軸関係でドアハンドル組立体１０の部品を協働して支持する。ボス５４、５６及び壁孔５８は好ましくは円形であるが、所望であれば多角形又は他の形態も用いることができることが同様に意図される。
【００１８】
図示のように、支持ブラケット４４もまた、支持ブラケット４４から第１のチャンバー４６に部分的に突出する概ね「Ｌ字」形状の断面を有する一体形の側面開口クレードルフランジ部６０も含む。例示的な構成では、クレードルフランジ部６０は、ベース部２０の前縁から端壁１９に向かって面する開口した側面を有する。動作時、クレードルフランジ部６０は、動作時のラッチハンドル１４の戻し力を与える付勢ばね６６の一端を支持する。付勢ばねは、ベゼルの底面からの単純な線形的な押圧作用によって位置決めすることができる。
【００１９】
ラッチケーブル６２（図１）は、一端が、ラッチハンドル１４に動作可能に接続され、反対の端が、車両ドアのラッチ／解放機構（図示せず）に動作可能に接続される。ロックケーブル６４は、一端が、ロックノブ１６に動作可能に接続され、対向端が、車両ドアのロック機構（図示せず）に動作可能に接続される。端壁１９が、ラッチケーブル６２用の第１のケーブルスロット７２と、ロックケーブル６４用の第２のケーブルスロット７４とを画定している。グロメット状のスリーブ継手７６、７８（図１）がケーブル６２、６４にそれぞれ設けられており、ケーブル６２、６４によってそのような継手がケーブルスロット７２、７４内に固定され、ケーブル６２、６４は、ラッチハンドル１４及びロックノブ１６による動作操作時に継手内で摺動可能である。
【００２０】
図４に最もよく見られるように、図示の例示的な構成では、端壁１９の内側は、弾性バンパー６８を保持する、第１のチャンバー４６において内方へ突出している一体成形コの字型のブラケット８０も画定している。図２に示されているように、例示的な構成では、バンパー６８は、平行な上面及び下面を有し、下面が上面よりも短くなっている概ね台形の形態を有する。ラッチハンドル１４用の当接面を画定している傾斜接触面８２が、上面の縁から下面の縁まで下方に傾斜した関係で配向されている。一対の側方ガイドスロット８４が上面から下面の上方の或る位置まで下方に延在している。組立て時に、コの字型のブラケット８０の遠位壁セグメントがガイドスロット８４に摺動し、それによって弾性バンパー６８を端壁７０の内側の適所にクランプし、かつ、接触面が第１のチャンバーに突出するように、線形的な動きを用いて、弾性バンパーを下からコの字型のブラケット８０に押圧することができる。当然のことながら、所望であれば他のバンパーの形態も同様に用いることができる。
【００２１】
図示の例示的な構成では、ラッチハンドル１４は成形プラスチック等の実質的にモノリシックな構造体であり、アンカー端９２及び遠位端９４を含む。アンカー端９２は、ハンドル空所１００を画定するために、ボス受けフランジ部９８から離間した関係で設定されている外郭耳部９６を有する分割壁構造を有する。図２に最もよく見られるように、アンカー端９２は握り（hand grasp）と概ね直角を形成しており、そのため、握りが第１のチャンバー及び端壁１９から延びるとともに外郭耳部９６が第１のチャンバー４６へ下方に延びる。
【００２２】
アンカー端９２において、ボス受けフランジ部９８が側方の受入れ開口１０１を画定しており、側方受入れ開口１０１は、組立て時にラッチハンドル１４の線形的な操作によって第１のボス５４を受けるようになっている。より具体的には、図５に示されている意図される実施によれば、ラッチハンドル１４を、フランジ部５２及び第１のボス５４がハンドル空所１００に入るように連続的に下方に動かす。ラッチハンドル１４を次いで、第１のボス５４が受入れ開口１０１内に突出するように側方に動かす。図示のように、外郭耳部９６の外側は、受入れ開口１０１と実質的に位置合わせられて位置するハンドルボス１０３を備える。ラッチハンドル１４が側方に動いて第１のボス５４をボス受けフランジ部９８内に捕捉する際、外方へ突出するハンドルボス１０３を壁孔５８に入れる。それによって、ボス受けフランジ部９８内に支持される第１のボス５４と、壁孔５８内に支持されるハンドルボス１０３とによりラッチハンドル１４の回転軸が確立される。下端では、外郭耳部９６はまた、ラッチケーブル６２の終端に位置するボール、シリンダー等の形態の、ラッチケーブルアンカーを受けて保持するウェル１０６も含み、そのため、ラッチハンドル１４の動きがラッチケーブル６２に伝わる。
【００２３】
例示的な構成では、ラッチハンドル１４のアンカー端９２は、外郭耳部９６とボス受けフランジ部９８との間に位置する遠位に突出するフット部１０７も含む。例示的な構成では、遠位に突出するフット部１０７は、付勢ばね６６の高さに概ね対応する距離のところでクレードルフランジ部６０に対して側方にずれるように配向される。設置されると、付勢ばね６６の一方の脚部が、遠位に突出するフット部１０７に対して圧縮された状態に保たれると同時に、付勢ばね６６の他方の脚部が、クレードルフランジ部６０内で圧縮された状態に保たれる。したがって、ラッチハンドルが回転すると、付勢ばね６６が更なる圧縮を受けると同時にラッチハンドル１４を連続的に付勢して、図１に示されている初期状態に戻す。
【００２４】
例示的な構成では、ロックノブ１６は、第２のチャンバー４８に受け入れられるように構成されている、成形プラスチック等の単品構造体である。ロックノブ１６は、ユーザーと接触する外側の面１１３から延びる分割体１１１を有する。ロックノブ１６は、隙間又は間隙によって離間している内側側面１１５と外側側面１１７とを含み、そのため、側面１１５、１１７は互い側へ僅かに圧縮を受けやすい。側面のそれぞれは、互いに実質的に位置合わせされているボス受け開口１２０を含む。側面のそれぞれは、ボス受け開口１２０から対応する側面の周囲まで延びるフレアー状の角度形態を有する低プロファイルの導入セグメント１２１を更に含むことができる。
【００２５】
図示の例示的なロックノブ１６は、第２のチャンバー４８に延びるコネクター部分１２３も含む。コネクター部分１２３は、ロックノブ１６の回転運動がロックケーブル６４に伝わるようにロックケーブル６４を挿通する開口１２５を含む。組立て時、ロックノブ１６は、前述したようなやり方でラッチハンドル１４の設置後に線形的な圧入の動きによって設置することができる。これに関して、ロックノブ１６が適所に圧入される際、内側側面１１５のボス受け開口が、ボス受けフランジ部９８を通って突出する第１のボス５４の遠位部分を受けて保持する。同時に、外側側面１１７のボス受け開口が第２のボス５６を受けて保持する。第１のボス５４及び第２のボス５６は、低プロファイルの導入セグメント１２１によって側面１１５、１１７のボス受け開口へガイドされる。設置プロセス時、ボス５４、５６は側面１１５、１１７を分割体の間隙を狭めるように互い側へ押し付ける。ボス５４、５６が対応する開口に入ると、側面１１５、１１７に対する圧縮が除かれ、互いから離れることによって、ロックノブ１１６を適所に固定する。
【００２６】
最終的な構成では、ラッチハンドル１４及びロックノブ１６は双方とも、第１のボス５４、第２のボス５６及び壁孔５８を延びる共通軸回りに角度回転可能である。さらに、ロックノブ１６は２つの対向するボス間に保持される。完全な設置後、ラッチハンドル１４及びロックノブ１６は、ベゼル１２内で共通軸回りに円滑に枢動することができる。
【００２７】
理解されるように、例示的な組立体は、部品のいかなる捩じり操作も必要とせずに一連の単純な線形的な動きを用いて全体を組み立てることができる。具体的には、ラッチハンドル１４は、図５に示されているような一連の下方及び側方の動きによって位置決めすることができる。付勢ばね６６及びバンパー６８も同様に、単純な線形的な押圧の動きによって位置決めすることができ、ロックノブ１６は、単純な線形的な押圧の動きによって設置される。そのような線形的な動きによる組立ては実質的に複雑性を減らし、それによって、作業効率を促すとともに及び誤りの可能性を減らす。
【００２８】
上記の変形及び変更は本発明の範囲内にある。本明細書に開示及び規定されている本発明は、言及されているか又は本文及び／又は図面から明らかである個々の特徴の２つ以上からなる全ての代替的な組み合わせに及ぶことが理解される。これらの様々な組み合わせの全ては、本発明の種々の代替的な態様を構成する。本明細書に記載の実施形態は、本発明を実施するための分かっている最良の形態を説明しており、当業者が本発明を利用することを可能にする。特許請求の範囲は、従来技術が許容する範囲まで代替的な実施形態を含むものと解釈すべきである。本発明の種々の特徴は添付の特許請求の範囲内に記載されている。
【符号の説明】
【００２９】
１０    ドアハンドルアセンブリ
１２    ベゼル
１４    ラッチハンドル
１６    ロックノブ
１８    側壁
１９    前端壁
２０    ベース部
２２    孔
２４    フランジ部
２６    内側カバー
２８    フット部
３０    スナップタブ
３２    スロット
３４    タブ開口
４０    溝
４４    支持ブラケット
４６    第１のチャンバー
４８    第２のチャンバー
５０    長手方向支持リブ
５２    フランジ部
５４    第１のボス
５６    第２のボス
５８    壁孔
６０    クレードルフランジ部
６２    ラッチケーブル
６４    ロックケーブル
６８    バンパー
７０    端壁
７２    第１のケーブルスロット
７４    第２のケーブルスロット
７６    スリーブ継手
７８    スリーブ継手
８０    ブラケット
８２    傾斜接触面
８４    ガイドスロット
９２    アンカー端
９４    遠位端
９６    外郭耳部
９８    フランジ部
１００    ハンドル空所
１０１    開口
１０３    ハンドルボス
１０６    ウェル
１０７    フット部
１１１    分割体
１１５    内側側面
１１６    ロックノブ
１１７    外側側面
１２０    開口
１２１    導入セグメント
１２３    コネクター部分
１２５    開口
【図１】
2013536341.tif 000003
【図２】
2013536341.tif 000004
【図３】
2013536341.tif 000005
【図４】
2013536341.tif 000006
【図５】
2013536341.tif 000007
【図６】
2013536341.tif 000008
【図７】
2013536341.tif 000009
【図８】
2013536341.tif 000010
【図９】
2013536341.tif 000011
【図１０】
2013536341.tif 000012
【図１１】
2013536341.tif 000013
【図１２】
2013536341.tif 000014
【国際調査報告】
2013536341.tif 000015
2013536341.tif 000016